(57)【要約】【課題】光伝送システムにおいて、障害が発生した箇所の特定を容易とする。【解決手段】光伝送システムの各ノードは、受信した信号から監視制御信号を分波する光分波部５４と、分岐された監視制御信号を減衰させる可変光減衰部７３と、可変光減衰部７３から出力された監視制御信号を電気信号に変換し、識別再生する光／電気変換部７４と、識別再生された監視制御信号の符号誤りを検出する符号誤り監視部７６と、通常運用時における光／電気変換部７４への監視制御信号の入力レベルが、符号誤り監視部７６で実質的に符号誤りが検出されない最小入力レベルまたはその近傍となるように、可変光減衰部７３の減衰量を制御する入力レベル監視制御部７８と、符号誤り監視部７６で監視制御信号の符号誤りが検出された場合に、監視装置に対し符号誤り発生情報を通知する通知部８０とを備える。【選択図】図２
2014165574.tif 000002
【特許請求の範囲】
【請求項１】
複数のノードと、前記ノード間を接続する光伝送路と、前記ノードおよび前記光伝送路の状態を監視する監視装置とを備え、隣接するノード間で主信号に合波された監視制御信号を送受信可能に構成された光伝送システムであって、
各ノードは、
受信した信号から監視制御信号を分波する光分波部と、
分岐された監視制御信号を減衰させる可変光減衰部と、
前記可変光減衰部から出力された監視制御信号を電気信号に変換し、識別再生する光／電気変換部と、
識別再生された監視制御信号の符号誤りを検出する符号誤り監視部と、
通常運用時における前記光／電気変換部への監視制御信号の入力レベルが、前記符号誤り監視部で実質的に符号誤りが検出されない最小入力レベルまたはその近傍となるように、前記可変光減衰部の減衰量を制御する入力レベル監視制御部と、
前記符号誤り監視部で監視制御信号の符号誤りが検出された場合に、前記監視装置に対し符号誤り発生情報を通知する通知部と、
を備えることを特徴とする光伝送システム。
【請求項２】
各ノードは、前記光／電気変換部への監視制御信号の入力レベルを検出する光レベルモニタ部をさらに備え、
前記入力レベル監視制御部は、前記光レベルモニタ部で検出された前記光／電気変換部への監視制御信号の入力レベルと、前記符号誤り監視部で検出された符号誤り情報とに基づいて、前記可変光減衰部の減衰量を制御することを特徴とする請求項１に記載の光伝送システム。
【請求項３】
前記光レベルモニタ部で監視制御信号の入力断が検出された場合、前記通知部は、前記監視装置に対し入力断発生情報を通知することを特徴とする請求項２に記載の光伝送システム。
【請求項４】
前記光レベルモニタ部で監視制御信号の入力断が検出された場合、前記入力レベル監視制御部は、減衰量が最小となるよう前記可変光減衰部を制御することを特徴とする請求項２または３に記載の光伝送システム。
【請求項５】
前記光／電気変換部への監視制御信号の入力レベルを制御する際に、前記入力レベル監視制御部は、まず減衰量が最小となるよう前記可変光減衰部を制御し、監視制御信号が正常に受信できることを確認した後に、前記光／電気変換部への監視制御信号の入力レベルが前記最小入力レベルまたはその近傍となるように前記可変光減衰部の減衰量を制御することを特徴とする請求項１から４のいずれかに記載の光伝送システム。
【請求項６】
各ノードは、識別再生された監視制御信号の符号誤りを訂正する符号誤り訂正部をさらに備え、
前記符号誤り監視部は、前記符号誤り訂正部での符号誤り訂正数に基づいて、監視制御信号の符号誤りを検出することを特徴とする請求項１から５のいずれかに記載の光伝送システム。
【発明の詳細な説明】
【技術分野】
【０００１】
本発明は、光伝送路を介して光信号の送受信を行う光伝送システムに関する。
【背景技術】
【０００２】
近年、インターネットの急激な普及に伴い、一本の光ファイバに複数の波長の光信号を一括して伝送する波長分割多重（ＷＤＭ：Wavelength Division Multiplexing）光伝送システムの開発・導入が進んでいる。現在、一波長当たりの伝送速度は２．４Ｇｂｐｓから１０Ｇｂｐｓが主流であるが、さらに増え続ける情報伝送需要に対応するため、４０Ｇｂｐｓ等のより高速な伝送速度が採用され始めている。
【０００３】
このようなＷＤＭ光伝送システムは、信号を光のまま多段中継するシステムであるため、各ノードの光レベルをモニタすることにより、伝送区間における障害の有無を検出している。ＷＤＭ光伝送システムでは、一般的に、１５分や１日の一定周期でのパフォーマンスモニタ情報を収集している。このパフォーマンスモニタ情報は、一定周期内での光レベルの最大値や最小値を含み、各ノードで保存される。伝送区間での光レベル低下によりトランスポンダで符号誤り（ビットエラー）が検出された場合、ネットワークの保守者は、符号誤り検出時刻近辺での各ノードのパフォーマンスモニタ情報を確認することにより、障害発生箇所を特定できる。また、特許文献１には、１５分または１日の間での最大値や最小値とともに、その発生時刻を履歴として残すようにした光伝送装置が開示されている。
【先行技術文献】
【特許文献】
【０００４】
【特許文献１】特開２００９−２１３０８０号公報
【発明の概要】
【発明が解決しようとする課題】
【０００５】
しかしながら、上記のような従来の技術では、１５分や１日の間に複数回の光レベル低下が発生した場合には、該光レベル低下と符号誤りとの正確な関連性を確認することは容易ではない。また、各ノードにおける光レベルの最大値、最小値およびその発生時刻の履歴は、各ノードにそれぞれ記憶されているため、あるノードにおいて符号誤りが発生した場合、ネットワークの保守者は、ネットワーク内の全ノードに対してパフォーマンスモニタ情報の履歴を収集する必要があり、障害発生箇所の特定に時間を要する。
【０００６】
本発明はこうした状況に鑑みてなされたものであり、その目的は、障害が発生した箇所の特定を容易とすることのできる光伝送システムを提供することにある。
【課題を解決するための手段】
【０００７】
上記課題を解決するために、本発明のある態様の光伝送システムは、複数のノードと、ノード間を接続する光伝送路と、ノードおよび光伝送路の状態を監視する監視装置とを備え、隣接するノード間で主信号に合波された監視制御信号を送受信可能に構成された光伝送システムである。各ノードは、受信した信号から監視制御信号を分波する光分波部と、分岐された監視制御信号を減衰させる可変光減衰部と、可変光減衰部から出力された監視制御信号を電気信号に変換し、識別再生する光／電気変換部と、識別再生された監視制御信号の符号誤りを検出する符号誤り監視部と、通常運用時における光／電気変換部への監視制御信号の入力レベルが、符号誤り監視部で実質的に符号誤りが検出されない最小入力レベルまたはその近傍となるように、可変光減衰部の減衰量を制御する入力レベル監視制御部と、符号誤り監視部で監視制御信号の符号誤りが検出された場合に、監視装置に対し符号誤り発生情報を通知する通知部とを備える。
【０００８】
なお、以上の構成要素の任意の組合せ、本発明の表現を装置、方法、システム、プログラム、プログラムを格納した記録媒体などの間で変換したものもまた、本発明の態様として有効である。
【発明の効果】
【０００９】
本発明によれば、障害が発生した箇所の特定を容易とすることのできる光伝送システムを提供できる。
【図面の簡単な説明】
【００１０】
【図１】本発明の実施形態に係る光伝送システムの構成を示す図である。
【図２】本発明の実施形態に係る受信ＯＳＣ部の構成を説明するための図である。
【図３】監視制御信号の入力レベル制御を説明するためのフローチャートである。
【図４】通常運用中の各ノードの動作を説明するためのフローチャートである。
【図５】本発明の別の実施形態に係る受信ＯＳＣ部の構成を説明するための図である。
【発明を実施するための形態】
【００１１】
図１は、本発明の実施形態に係る光伝送システム１００の構成を示す図である。図１に示すように、光伝送システム１００は、送信ＯＡＤＭ（Optical Add-Drop Multiplexer）ノード１０と、受信ＯＡＤＭノード１２と、送信ＯＡＤＭノード１０と受信ＯＡＤＭノード１２の間に配置された中継ノード１４と、送信ＯＡＤＭノード１０と中継ノード１４とを接続する第１光伝送路１６と、中継ノード１４と受信ＯＡＤＭノード１２とを接続する第２光伝送路１８と、監視装置２０とを備える。
【００１２】
本実施形態では、送信ＯＡＤＭノード１０と受信ＯＡＤＭノード１２の間に配置された中継ノード１４は一つであるが、複数の中継ノード１４が配置されてもよい。また、本実施形態では、ＯＡＤＭノード１０を送信ノード、ＯＡＤＭノード１２を受信ノードとして、ＯＡＤＭノード１０からＯＡＤＭノード１２への伝送およびそれを実現するための構成を説明するが、光伝送システム１００は双方向伝送可能に構成されてもよい。
【００１３】
まず送信ＯＡＤＭノード１０について説明する。送信ＯＡＤＭノード１０は、第１送信トランスポンダ（ＴＲＰＮ）２２＿１〜第ｎ送信トランスポンダ２２＿ｎと、波長多重部２４と、送信アンプ部２６と、送信ＯＳＣ（Optical Supervisory Channel）部２８と、光合波部３０と、装置監視制御部３２とを備える。
【００１４】
第１送信トランスポンダ（ＴＲＰＮ）２２＿１〜第ｎ送信トランスポンダ２２＿ｎは、それぞれ、クライアント側から受信した光主信号を異なる波長の光主信号に変換し、波長多重部２４に出力する。第１送信トランスポンダ（ＴＲＰＮ）２２＿１〜第ｎ送信トランスポンダ２２＿ｎから出力される光主信号の伝送速度は、例えば２．４〜４０Ｇｂ／ｓである。波長多重部２４は、ｎ個の送信トランスポンダからのｎ波の光主信号を波長多重する。送信アンプ部２６は、波長多重部２４からの波長多重光信号を増幅する。送信アンプ部２６は、例えばＥＤＦＡ（Erbium Doped Fiber Amplifier）であってよい。
【００１５】
送信ＯＳＣ部２８は、監視制御信号（ＯＳＣ信号）を送信する。この監視制御信号は、ノードの制御および監視などに使用される信号であり、隣接するノード間で送受信される。監視制御信号は、光主信号とは異なる波長を有する。監視制御信号の伝送速度は、主信号の伝送速度よりも低く、例えば１．５〜１５０Ｍｂ／ｓ程度である。装置監視制御部３２は、送信ＯＡＤＭノード１０の各部に対する設定制御や監視を実施し、監視制御信号を介して隣接ノード（すなわち中継ノード１４）と通信する。
【００１６】
光合波部３０は、送信アンプ部２６で増幅された波長多重光信号と、送信ＯＳＣ部２８から出力された監視制御信号を合波し、第１光伝送路１６に出力する。図１から分かるように、送信アンプ部２６で増幅されるのは光主信号のみであり、監視制御信号は送信アンプ部２６を通過せずに第１光伝送路１６に出力される。
【００１７】
次に、中継ノード１４について説明する。中継ノード１４は、光分波部３４と、受信ＯＳＣ部３６と、受信アンプ部３８と、送信アンプ部４０と、光合波部４２と、送信ＯＳＣ部４４と、装置監視制御部４６とを備える。
【００１８】
光分波部３４は、第１光伝送路１６から受信した光信号を、光主信号の波長多重光信号と、監視制御信号とに分波する。分波された波長多重光信号は受信アンプ部３８に出力される。一方、分波された監視制御信号は、受信ＯＳＣ部３６に出力される。
【００１９】
受信ＯＳＣ部３６は、光信号である監視制御信号に対し、光／電気変換処理、信号終端処理などを施す。受信ＯＳＣ部３６にて終端処理された監視制御信号は、装置監視制御部４６に出力される。受信ＯＳＣ部３６の詳細な構成については後述する。
【００２０】
受信アンプ部３８は、光分岐部４８と、光増幅器５０と、レベルモニタ５２とを備える。光分岐部４８は、波長多重光信号の一部をレベルモニタ５２に出力し、残りを光増幅器５０に出力する。レベルモニタ５２は、受信アンプ部３８への入力レベルをモニタし、モニタ結果を装置監視制御部４６に出力する。光増幅器５０は、波長多重光信号を増幅し、送信アンプ部４０に出力する。
【００２１】
送信アンプ部４０は、受信した波長多重光信号を増幅し、光合波部４２に出力する。送信ＯＳＣ部４４は、監視制御信号を送信する。装置監視制御部４６は、中継ノード１４の各部に対する設定制御や監視を実施し、監視制御信号を介して隣接ノード（すなわち、送信ＯＡＤＭノード１０および受信ＯＡＤＭノード１２）と通信する。
【００２２】
光合波部４２は、送信アンプ部４０で増幅された波長多重光信号と、送信ＯＳＣ部４４から出力された監視制御信号を合波し、第２光伝送路１８に出力する。図１から分かるように、送信アンプ部４０で増幅されるのは光主信号のみであり、監視制御信号は送信アンプ部４０を通過せずに第２光伝送路１８に出力される。
【００２３】
次に、受信ＯＡＤＭノード１２について説明する。受信ＯＡＤＭノード１２は、光分波部５４と、受信アンプ部５６と、波長分離部５８と、第１受信トランスポンダ６０＿１〜第ｎ受信トランスポンダ６０＿ｎと、受信ＯＳＣ部６２と、装置監視制御部６４とを備える。
【００２４】
光分波部５４は、第２光伝送路１８から受信した光信号を、光主信号の波長多重光信号と、監視制御信号とに分波する。分波された波長多重光信号は受信アンプ部５６に出力される。一方、分波された監視制御信号は、受信ＯＳＣ部６２に出力される。
【００２５】
受信ＯＳＣ部６２は、光信号である監視制御信号に対し、光／電気変換処理、信号終端処理などを施す。受信ＯＳＣ部６２にて終端処理された監視制御信号は、装置監視制御部６４に出力される。受信ＯＳＣ部６２の詳細な構成については後述する。
【００２６】
受信アンプ部５６は、光分岐部６６と、光増幅器６８と、レベルモニタ７０とを備える。光分岐部６６は、波長多重光信号の一部をレベルモニタ７０に出力し、残りを光増幅器６８に出力する。レベルモニタ７０は、受信アンプ部５６への入力レベルをモニタし、モニタ結果を装置監視制御部６４に出力する。光増幅器６８は、波長多重光信号を増幅し、波長分離部５８に出力する。
【００２７】
波長分離部５８は、波長多重光信号をｎ波の光主信号に分離し、各光主信号を第１受信トランスポンダ６０＿１〜第ｎ受信トランスポンダ６０＿ｎに出力する。各受信トランスポンダは、受信した光主信号に対し、光／電気変換、タイミング抽出、識別再生などの所定の信号処理を行った後、光主信号をクライアント側に送信する。各受信トンランスポンダは、受信した光主信号の符号誤りを検出可能に構成されている。光主信号の符号誤りが検出された場合、各受信トランスポンダは、符号誤りの検出情報を装置監視制御部６４に出力する。
【００２８】
装置監視制御部６４は、受信ＯＡＤＭノード１２の各部に対する設定制御や監視を実施し、監視制御信号を介して隣接ノード（すなわち、中継ノード１４）と通信する。
【００２９】
監視装置２０は、光伝送システム１００の有する全てのノード、すなわち送信ＯＡＤＭノード１０、中継ノード１４および受信ＯＡＤＭノード１２の動作状態を監視しており、各ノードから通知される警報を取得したり、各ノードが通知する各種の情報を取得する。また、監視装置２０は、送信ＯＡＤＭノード１０、中継ノード１４および受信ＯＡＤＭノード１２からの警報および情報に基づいて、各ノード間の光伝送路、すなわち第１光伝送路１６および第２光伝送路１８における障害の有無を監視する。光伝送システム１００の保守者は、監視装置２０にアクセスすることで、各ノードおよびノード間の光伝送路の状態を確認できる。
【００３０】
光伝送システム１００の有する全てのノード、すなわち送信ＯＡＤＭノード１０、中継ノード１４および受信ＯＡＤＭノード１２と通信可能に接続されている。図１では、送信ＯＡＤＭノード１０、中継ノード１４および監視装置２０が全て監視装置２０と直接接続されているが、少なくとも一つのノードが監視装置２０と直接接続されていればよく、他のノードは監視制御信号を用いて監視装置２０と通信できる。また、光伝送システム１００において両端に位置する送信ＯＡＤＭノード１０と受信ＯＡＤＭノード１２に直接接続されていれば、例えば送信ＯＡＤＭノード１０や第１光伝送路１６に障害が発生した場合であっても、受信ＯＡＤＭノード１２および第２光伝送路１８を介して中継ノード１４にアクセスできる。
【００３１】
図２は、本発明の実施形態に係る受信ＯＳＣ部の構成を説明するための図である。ここでは、受信ＯＡＤＭノード１２の受信ＯＳＣ部６２を例として説明するが、中継ノード１４の受信ＯＳＣ部３６などの他のノードの受信ＯＳＣ部も同様の構成を有する。
【００３２】
図２に示すように、受信ＯＳＣ部６２は、可変光減衰部７３と、光レベルモニタ部７２と、光／電気変換部７４と、符号誤り監視部７６と、入力レベル監視制御部７８とを備える。
【００３３】
上述したように、第２光伝送路１８から受信ＯＡＤＭノード１２に入力された光信号は、光分波部５４により光主信号の波長多重光信号と、監視制御信号とに分波される。分波された波長多重光信号は受信アンプ部５６に出力され、監視制御信号は、受信ＯＳＣ部６２の可変光減衰部７３に出力される。
【００３４】
可変光減衰部（ＶＯＡ：Variable Optical Attenuator）７３は、入力された監視制御信号を減衰させ、光／電気変換部７４に出力する。可変光減衰部７３の減衰量は、入力レベル監視制御部７８により制御される。
【００３５】
光レベルモニタ部７２は、可変光減衰部７３と光／電気変換部７４の間に配置され、光／電気変換部７４への監視制御信号の入力レベルを検出する。光レベルモニタ部７２は、例えば可変光減衰部７３から光／電気変換部７４へ向かう監視制御信号の一部を分岐するカプラ、該カプラで分岐された監視制御信号の一部を受光して電気信号に変換するＰＤ（Photo Diode）等から構成される。光レベルモニタ部７２にて検出された光／電気変換部７４への監視制御信号の入力レベル情報は、入力レベル監視制御部７８に送られる。
【００３６】
光／電気変換部７４は、入力された監視制御信号を受光して電気信号に変換するＰＤやＡＰＤ（avalanche photodiode）等の受光素子、電気信号からクロック信号を抽出するタイミング抽出回路、クロック信号を用いて電気信号を識別再生する識別再生回路などから構成される。光／電気変換部７４にて識別再生された電気の監視制御信号は、符号誤り監視部７６に出力される。
【００３７】
符号誤り監視部７６は、識別再生された監視制御信号の符号誤り（ビットエラー）を検出する。検出された監視制御信号の符号誤り情報は、入力レベル監視制御部７８に出力される。また、符号誤り監視部７６を通過した監視制御信号は、入力レベル監視制御部７８を介して装置監視制御部６４に入力される。
【００３８】
入力レベル監視制御部７８は、光レベルモニタ部７２で検出された光／電気変換部７４への監視制御信号の入力レベルと、符号誤り監視部７６で検出された符号誤り情報とに基づいて、可変光減衰部７３の減衰量を制御する。本実施形態においては、入力レベル監視制御部７８は、通常運用時における光／電気変換部７４への監視制御信号の入力レベルが、符号誤り監視部７６で実質的に符号誤りが検出されない最小入力レベルまたはその近傍となるように、可変光減衰部７３の減衰量を制御する。最小入力レベルの近傍とは、符号誤りが生じない範囲での近傍である。
【００３９】
「実質的に符号誤りが検出されない最小入力レベル」とは、エラーフリーと見なすことのできる符号誤り率（ＢＥＲ：Bit Error Rate）を達成するために必要な最小の入力パワーである。この最小入力レベルは、監視制御信号の伝送速度、光／電気変換部７４で用いる受光素子の種類等によって異なる。例えば監視制御信号の伝送速度が１５５Ｍｂ／ｓであり、受光素子としてＡＰＤを用いた場合、１×１０−１０程度のＢＥＲを達成するためには、−４５ｄＢｍ程度の入力レベルが必要とされる。
【００４０】
このように最小入力レベルは種々の要因によって変わってくるため、本実施形態では、各ノードの受信ＯＳＣ部ごとに適宜、光／電気変換部７４への監視制御信号の入力レベルの制御、すなわち可変光減衰部７３の減衰量の制御を行う。
【００４１】
図３は、監視制御信号の入力レベル制御を説明するためのフローチャートである。図３に示す制御は、例えば光伝送システム１００を起動したときや、光伝送路断から復旧したときに行われる。これらの場合、対向する隣接ノードの送信ＯＳＣ部から監視制御信号が送られてくる。
【００４２】
入力レベル監視制御部７８は、まず監視制御信号を正常に受信しているか否か確認する（Ｓ１０）。監視制御信号を受信していない場合（Ｓ１０のＮ）、監視制御信号を受信するまで待機する。
【００４３】
一方、監視制御信号を受信している場合（Ｓ１０のＹ）、入力レベル監視制御部７８は、光／電気変換部７４への監視制御信号の入力レベル調整を開始する（Ｓ１２）。まず、入力レベル監視制御部７８は、可変光減衰部７３の減衰量が最小、すなわち０ｄＢであるか確認する（Ｓ１４）。可変光減衰部７３の減衰量が０ｄＢでない場合（Ｓ１４のＮ）、入力レベル監視制御部７８は、減衰量が０ｄＢとなるよう可変光減衰部７３に指示し（Ｓ１６）、再びＳ１４に戻る。
【００４４】
可変光減衰部７３の減衰量が０ｄＢである場合（Ｓ１４のＹ）、入力レベル監視制御部７８は、光レベルモニタ部７２からの入力レベル情報と、符号誤り監視部７６からの符号誤り情報とを監視しながら、徐々に可変光減衰部７３の減衰量を増やし、光／電気変換部７４への入力レベルを下げていく。具体的には、入力レベル監視制御部７８は、可変光減衰部７３の減衰量を１ｄＢ増大する指示を出し（Ｓ１８）、符号誤り監視部７６で符号誤りを検出したか確認する（Ｓ２０）。符号誤りを検出していない場合（Ｓ２０のＮ）、Ｓ１８に戻り、さらに減衰量を１ｄＢ増大する。
【００４５】
符号誤り監視部７６にて符号誤りを検出した場合（Ｓ２０のＹ）、入力レベル監視制御部７８は、可変光減衰部７３の減衰量を１ｄＢ減少させる（Ｓ２２）。そして、入力レベル監視制御部７８は、符号誤りが回復したか否か確認し（Ｓ２４）、回復していない場合（Ｓ２４のＮ）、Ｓ２２でさらに減衰量を１ｄＢ減少させる。一方、符号誤りが回復していれば（Ｓ２４のＹ）、光／電気変換部７４への監視制御信号の入力レベル制御を完了する。図３のフローチャートに示すような制御を行うことで、光／電気変換部７４への監視制御信号の入力レベルが、最小入力レベルまたはその近傍となるように制御することができる。
【００４６】
上記のように本実施形態では、通常運用中における光／電気変換部７４への監視制御信号の入力レベルは、最小入力レベルまたはその近傍となるように制御される。従って、通常運用中に第２光伝送路１８を伝搬される光信号に何らかの要因により（例えば数ｄＢ〜数十ｄＢの）光レベル変動が生じた場合、符号誤り監視部７６で直ちに符号誤りが検出される。符号誤り監視部７６で符号誤りが検出された場合、装置監視制御部６４の通知部８０は、監視装置２０に対して符号誤り発生情報を通知する。なお、通常運用中に光／電気変換部７４への監視制御信号の入力レベルが低下して符号誤りが検出された場合、入力レベル監視制御部７８は、可変光減衰部７３の減衰量の制御を行わず、現状の減衰量を維持させる。
【００４７】
一方、通常運用中に第２光伝送路１８の断が生じた場合、光レベルモニタ部７２により監視制御信号の入力断が検出される。この場合、装置監視制御部６４の通知部８０は、監視装置２０に対して入力断発生情報を通知する。
【００４８】
図４は、通常運用中の各ノードの動作を説明するためのフローチャートである。ここでは、受信ＯＡＤＭノード１２を例として説明するが、他のノードの動作も同様である。
【００４９】
入力レベル監視制御部７８は、通常運用中に符号誤り監視部７６で監視制御信号の符号誤りが検出されたか確認する（Ｓ３０）。符号誤り監視部７６で監視制御信号の符号誤りが検出された場合（Ｓ３０のＹ）、装置監視制御部６４の通知部８０は、光伝送システム１００全体を監視する監視装置２０に符号誤り発生情報を通知する（Ｓ３２）。そして、入力レベル監視制御部７８は、可変光減衰部７３の減衰量の制御を行わずに現状の減衰量を維持させる（Ｓ３４）。これで監視制御信号の符号誤りが検出された場合の制御は終了する。
【００５０】
一方、符号誤り監視部７６で監視制御信号の符号誤りが検出されない場合（Ｓ３０のＮ）、光レベルモニタ部７２により監視制御信号の入力断が検出されたか確認する（Ｓ３６）。監視制御信号の入力断が検出されない場合（Ｓ３６のＮ）、Ｓ３０に戻る。
【００５１】
監視制御信号の入力断が検出された場合（Ｓ３６のＹ）、装置監視制御部６４の通知部８０は、監視装置２０に対して入力断発生情報を通知する（Ｓ３８）。その後、入力レベル監視制御部７８は、減衰量が０ｄＢとなるよう可変光減衰部７３に指示する（Ｓ４０）。そして、入力レベル監視制御部７８は、可変光減衰部７３の減衰量が０ｄＢとなったか確認し（Ｓ４２）、減衰量が０ｄＢになっていなければ再度可変光減衰部７３に指示する（Ｓ４２のＮ）。一方、可変光減衰部７３の減衰量が０ｄＢとなっていれば（Ｓ４２のＹ）、監視制御信号の入力断が検出された場合の制御は終了であり、光伝送路の復旧待ち状態となる。
【００５２】
通常運用中に光伝送システム１００のどこかの光伝送路で光レベル変動が生じると、受信ＯＡＤＭノード１２の受信トランスポンダで符号誤りが検出される場合がある。この受信トランスポンダで検出された符号誤り情報は、警報として監視装置２０に送られる。ここで、本実施形態に係る光伝送システム１００では、各ノードから監視制御信号の符号誤り発生情報が監視装置２０に通知されるので、光伝送システム１００のどこの光伝送路で光レベル変動が生じたのか容易に特定することができる。例えば中継ノード１４の受信ＯＳＣ部３６で監視制御信号の符号誤りが検出された場合、第１光伝送路１６で光レベル変動が生じたと特定できる。また、例えば受信ＯＡＤＭノード１２の受信ＯＳＣ部６２で監視制御信号の符号誤りが検出された場合、第２光伝送路１８で光レベル変動が生じたと特定できる。
【００５３】
上述したように、監視制御信号の伝送速度は、主信号の伝送速度（２．４〜４０Ｇｂ／ｓ）よりも低く、例えば１．５〜１５０Ｍｂ／ｓ程度である。従って、監視制御信号を受信する光／電気変換部のダイナミックレンジ（符号誤りを生じることなく受信できる信号レベル範囲）は、光主信号を受信する受信トランスポンダのダイナミックレンジよりも大きい。従って、例えば光分波部で分岐した監視制御信号を直接光／電気変換部で受信する構成とした場合、光伝送路が完全に断にならない程度の光レベル変動（例えば数ｄＢの変動）が生じ、受信トランスポンダで光主信号の符号誤りを検出したとしても、監視制御信号の符号誤りは発生しない可能性がある。このようなケースでは、どの光伝送路で障害が発生したか特定することが難しい。
【００５４】
本実施形態に係る光伝送システム１００においては、通常運用時における光／電気変換部への監視制御信号の入力レベルが、符号誤り監視部で実質的に符号誤りが検出されない最小入力レベルまたはその近傍となるように、可変光減衰部の減衰量を制御しているので、光伝送路を伝搬する光信号に数ｄＢ程度の光レベル変動が生じた場合であっても、監視制御信号の符号誤りを検出できる。その結果、光伝送路の障害発生箇所を容易に特定できる。
【００５５】
また、通常運用中に光伝送システム１００のどこかの光伝送路で断が生じると、受信ＯＡＤＭノード１２の受信トランスポンダにおいてＬＯＳ（Loss Of Signal）警報が発出される。ここで、本実施形態に係る光伝送システム１００では、各ノードから監視制御信号の入力断発生情報が監視装置２０に通知されるので、光伝送システム１００のどこの光伝送路で断が生じたのか容易に特定することができる。例えば中継ノード１４の受信ＯＳＣ部３６で監視制御信号の入力断が検出された場合、第１光伝送路１６に断が生じたと特定できる。また、例えば受信ＯＡＤＭノード１２の受信ＯＳＣ部６２で監視制御信号の入力断が検出された場合、第２光伝送路１８に断が生じたと特定できる。
【００５６】
図４のフローチャートでは、監視装置２０に対して入力断発生情報を通知した後に（Ｓ３８）、減衰量が０ｄＢとなるよう可変光減衰部を制御している（Ｓ４０、Ｓ４２）。これは、復旧作業において光ファイバが別のものに取り替えられたり、光伝送路のルートが別ルートに振り替えられたりすると、障害発生前と復旧後とでスパンロスが変わる可能性があるからである。光伝送路が復旧したときに可変光減衰部の減衰量が大きい状態であると、スパンロスの変化により対向する隣接ノードの送信ＯＳＣ部からの監視制御信号を適切に受信できない可能性がある。そこで、本実施形態では、入力断が検出された場合に可変光減衰部の減衰量を最小、すなわち減衰量＝０ｄＢに制御する。そして、その状態で光伝送路が復旧するのを待つ。このような制御を行うことで、復旧後の光伝送路のスパンロスが障害発生前より増大している場合でも、監視制御信号を適切に受信することができ、光主信号回線を復旧させることができる。
【００５７】
図５は、本発明の別の実施形態に係る受信ＯＳＣ部の構成を説明するための図である。ここでも、受信ＯＡＤＭノード１２の受信ＯＳＣ部６２を例として説明する。本実施形態に係る受信ＯＳＣ部６２において、図２に示す実施形態と同一または対応する構成要素については同一の符号を付すとともに、重複する説明は適宜省略する。
【００５８】
本実施形態に係る受信ＯＳＣ部６２では、光／電気変換部７４と符号誤り監視部７６との間に符号誤り訂正部７７が追加されている。この符号誤り訂正部７７は、光／電気変換部７４で識別再生された監視制御信号の符号誤りを訂正する。誤り訂正符号方式は、例えばＦＥＣ（Forward Error Correction）であってよい。符号誤り訂正部７７は、符号誤りを訂正した監視制御信号は、入力レベル監視制御部７８を介して装置監視制御部６４に送られる。符号誤り訂正部７７は、符号誤り訂正数をカウントし、該符号誤り訂正数情報を符号誤り監視部７６に通知する。本実施形態に係る符号誤り監視部７６は、符号誤り訂正部７７からの符号誤り訂正数に基づいて、監視制御信号の符号誤りを検出する。符号誤り監視部７６にて検出された符号誤り情報は、入力レベル監視制御部７８に出力される。入力レベル監視制御部７８による監視制御信号の入力レベル制御方法は、図２に示す実施形態と同様である。
【００５９】
本実施形態では、光／電気変換部７４への監視制御信号の入力レベルを低下させたことにより監視制御信号に符号誤りが発生した場合でも、符号誤り訂正部７７で監視制御信号の符号誤りを訂正できるので、監視制御信号の通信品質を高めることができる。本実施形態は、監視制御信号をユーザ・チャンネル（ユーザが主信号とは別に監視用途などで使用できるチャンネル）として使っている場合に有効である。
【００６０】
上述の実施形態では、通常運用中における光／電気変換部への監視制御信号の入力レベルは、最小入力レベルまたはその近傍となるように制御される。しかしながら、光／電気変換部への監視制御信号の入力レベルは、最小入力レベルに所定のマージンを加えた入力レベルに制御されてもよい。このマージンは、光伝送路における例えば１〜２ｄＢ程度の光レベル変動を許容するためのものである。このマージンは、光伝送システム１００の保守者により適宜変更可能であってもよい。
【００６１】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００６２】
上述の図１に示す実施形態では、ポイント・トゥ・ポイントの光伝送システムを開示したが、本発明はポイント・トゥ・ポイントの光伝送システムに限定されず、リングネットワークやメッシュネットワーク等の光伝送システムにも適用可能である。
【符号の説明】
【００６３】
１０  送信ＯＡＤＭノード、  １２  受信ＯＡＤＭノード、  １４  中継ノード、  １６  第１光伝送路、  １８  第２光伝送路、  ２０  監視装置、  ２４  波長多重部、  ２６  送信アンプ部、  ２８  送信ＯＳＣ部、  ３０、４２  光合波部、  ３２、４６、６４  装置監視制御部、  ３４、４８、５４  光分波部、  ３６、６２  受信ＯＳＣ部、  ３８、５６  受信アンプ部、  ４０  送信アンプ部、  ４４  送信ＯＳＣ部、  ５８  波長分離部、  ７２  光レベルモニタ部、  ７３  可変光減衰部、  ７４  光／電気変換部、  ７６  符号誤り監視部、  ７７  符号誤り訂正部、  ７８  入力レベル監視制御部、  ８０  通知部、  １００  光伝送システム。
【図１】
2014165574.tif 000003
【図２】
2014165574.tif 000004
【図３】
2014165574.tif 000005
【図４】
2014165574.tif 000006
【図５】
2014165574.tif 000007